(57)【要約】【課題】専用のモード切替スイッチを廃止し、モードの切り替えを意識することなくできるデジタルカメラを提供するすることを目的とする。【解決手段】システム制御部に、撮影モードと再生モードの切り替えを行うモード切替部８６、再生モードを制御する再生モード制御部８８、及び撮影モードを制御する撮影モード制御部９０を含んで構成し、モード切替部８６には、レリーズスイッチへの接触を検出する接触センサ８２の検出出力を入力する。すなわち、モード切替部８６は、接触センサ８２の検出出力に基づいて、撮影モードと再生モードを切り替える。詳細には、接触センサ８２の検出出力がオンの場合に、撮影モード制御部９０によって制御を行い、接触センサ８２の検出出力がオフの場合に、再生モード制御部８８によって制御が行う。これによって、撮影モードと再生モードの切り替えを意識せずに行うことができる。【選択図】　　　　図３
2004040602.tif 000002
【特許請求の範囲】
【請求項１】
少なくとも被写体の撮影を行う撮影モード及び撮影した画像を再生する再生モードを含む複数のモードを有するデジタルカメラであって、
前記撮影を指示する指示手段と、
前記指示手段への接触について、接触状態または非接触状態を検出する検出手段と、
前記検出手段によって前記接触状態が検出されたときに、前記撮影モードへ移行し、前記検出手段によって前記非接触状態が検出されたときに、前記再生モードへ移行する制御手段と、
を含むことを特徴とするデジタルカメラ。
【請求項２】
前記制御手段は、前記検出手段によって所定時間以上継続して前記接触状態が検出されたときに、前記撮影モードへ移行することを特徴とする請求項１に記載のデジタルカメラ。
【請求項３】
前記制御手段は、前記検出手段によって所定時間以上継続して前記非接触状態が検出されたときに、前記撮影モードから前記再生モードへ移行することを特徴とする請求項１又は請求項２に記載のデジタルカメラ。
【発明の詳細な説明】
【０００１】
【発明の属する技術分野】
本発明は、デジタルカメラにかかり、特に、被写体を撮影する撮影モードと、該撮影モードで撮影することによって得られる撮影画像を再生する再生モードと、を有するデジタルカメラに関する。
【０００２】
【従来の技術】
近年、簡便に撮影可能なＣＣＤ撮像素子などを有した撮影装置として、デジタルカメラが数多く流通している。デジタルカメラは、その撮影時には、レリーズスイッチを操作することをトリガとして、ＣＣＤ撮像素子などで光量に応じた電荷（光電変換）を画素毎に読み取って、画像データに変換した後に、撮影画像を画像データとして磁気記録媒体などの記録媒体に記録している。
【０００３】
また、この種のデジタルカメラでは、撮影することによって得られる撮影画像を液晶ディスプレイ等の表示装置に再生表示することができ、撮影したその場で、撮影画像を確認することができる。
【０００４】
さらに、デジタルカメラは、静止画のみならず動画撮影も可能とされるものもある。また、この他に、レリーズスイッチの操作により、撮像に関する他の機能を実行するデジタルカメラなども提案されている（特開平９−３２２０４３号公報）。
【０００５】
ところで、ほとんどのデジタルカメラでは、静止画や動画の撮影に関わる機能を提供する撮影モードと、撮影した画像の再生に関わる機能を提供する再生モードと、を有しており、これらのモード間の切り替えは、図８に示すような、モード切替スイッチ９８で行うようになっている。なお、図８では、デジタルカメラが撮影モードにあることを示しており、当該モードにおいて、画像の撮影を行うことができる。撮影した画像を再生する場合には、モード切替スイッチ９８を図８矢印Ａ方向に移動、すなわち、再生モードの位置にモード切替スイッチ９８を合わせることで、再生モードに移行して撮影した画像を再生することができる。
【０００６】
また、特開２０００−１５２０７１号公報に記載の技術では、カメラ本体に付設された再生ボタンを含む操作手段と、撮影レンズの全面を開放する開放位置と閉止する閉止位置との間を移動可能な如く設けられたレンズ保護カバーと、レンズ保護カバーが開放位置にあるときは撮影モードに設定しレンズ保護カバーが閉止位置にあるときは非撮影モードに設定するモード切換手段と、撮影モードにおいて再生ボタンがＡクリック操作されたとき画像信号を再生表示する再生モードに移行制御する第１制御手段と、非撮影モードにおいて再生ボタンがＢクリックされる毎に再生モードと電源停止モードとを交互に選択制御する第２制御手段とを備えた電子カメラが提案されている。該電子カメラでは、レンズ保護カバーの開閉情報に如何に拘わらず、簡単な操作を行うことにより、適宜、再生モードへ移行させることができる。
【０００７】
【発明が解決しようとする課題】
しかしながら、従来のデジタルカメラでは、撮影した画像を表示確認する再生モードへ移行するには、モード切替スイッチ９８を操作して、モードを切り替える必要があり、特開２０００−１５２０７１号公報に記載の技術においても、再生ボタンの操作等のモード切り替えを意図する操作が必要となり、操作が煩雑となる、という問題がある。
【０００８】
本発明は、上記問題を解決すべく成されたもので、専用のモード切替スイッチを廃止し、モードの切り替えを意識することなくできるデジタルカメラを提供するすることを目的とする。
【０００９】
【課題を解決するための手段】
上記目的を達成するために請求項１に記載の発明は、少なくとも被写体の撮影を行う撮影モード及び撮影した画像を再生する再生モードを含む複数のモードを有するデジタルカメラであって、前記撮影を指示する指示手段と、前記指示手段への接触について、接触状態または非接触状態を検出する検出手段と、前記検出手段によって前記接触状態が検出されたときに、前記撮影モードへ移行し、前記検出手段によって前記非接触状態が検出されたときに、前記再生モードへ移行する制御手段と、を含むことを特徴としている。
【００１０】
請求項１に記載の発明によれば、指示手段によって被写体の撮影を指示することによって撮影が行われる。
【００１１】
検出手段では、指示手段への接触について、接触状態または非接触状態が検出される。すなわち、撮影を指示しようとしているか否かを検出手段によって検出することが可能である。例えば、指示手段への接触を検出したとき（接触状態を検出したとき）には、撮影の指示を行おうとしている場合であるので、検出手段によって指示手段への接触を検出することによって撮影の意志を検出することができる。
【００１２】
なお、検出手段は、例えば、光検出、圧力検出、温度検出等の種々の接触センサを用いることによって実現可能となる。
【００１３】
そして、制御手段では、検出手段によって接触状態が検出されたときに、撮影モードへ移行するように制御し、検出手段によって非接触状態が検出されたときに、再生モードへ移行するように制御される。すなわち、上述したように、指示手段への接触は、撮影を行う意志を表すので、該接触を検出したときに、撮影モードへ移行し、該接触が検出されなくなったときに、再生モードへ移行するように制御することによって、意識せずにモード切り替えを行うことができる。従って、専用のモード切替スイッチを廃止し、モードの切り替えを意識することなくできる。
【００１４】
請求項２に記載の発明は、請求項１に記載の発明において、前記制御手段は、前記検出手段によって所定時間以上継続して前記接触状態が検出されたときに、前記撮影モードへ移行することを特徴としている。
【００１５】
請求項２に記載の発明によれば、請求項１に記載の発明において、制御手段が、検出手段によって指示手段への接触を検出して撮影モードへ移行するように制御する際に、検出手段によって接触状態が所定時間以上継続して検出されたときに、撮影モードへ移行するように制御することによって、短時間の指示手段への接触でモード切り替えがなされることが防止され、モード切り替え時のチャタリングを防止することができる。
【００１６】
請求項３に記載の発明は、請求項１又は請求項２に記載の発明において、前記制御手段は、前記検出手段によって所定時間以上継続して前記非接触状態が検出されたときに、前記撮影モードから前記再生モードへ移行することを特徴としている。
【００１７】
請求項３に記載の発明によれば、請求項１又は請求項２に記載の発明において、制御手段が、検出手段によって非接触状態が検出、すなわち検出手段によって指示手段への接触が検出されなくなって再生モードへ移行するように制御する際に、検出手段によって非接触状態が所定時間以上継続して検出されたときに、撮影モードから再生モードへ移行するように制御することによって、接触が短時間検出されなかっただけで、モード切り替えがなされることが防止され、モード切り替え時のチャタリングを防止することができる。
【００１８】
【発明の実施の形態】
以下、図面を参照して本発明の実施の形態の一例を詳細に説明する。
【００１９】
図１（Ａ）、（Ｂ）に示すように、デジタルカメラ１０の本体１２は略箱型で、正面から見て左側に、本体１２の把持を容易とするための突起（把持部）が形成された形状とされている。本体１２の正面側中央にはレンズ１４が取り付けられた鏡筒１５が設けられており、本体１２のレンズ１４上方には、低照度での撮影等の場合に補助光を発するためのストロボ１８、ユーザが撮影範囲等を目視で確認するための光学ファインダ１６が取り付けられている。
【００２０】
また、ストロボ１８の近傍の位置には、ストロボ発光時に被写体で反射して戻ってきたストロボ光の光量を検出するストロボ受光センサにストロボ光を導くためのストロボ受光窓３８、及び内蔵されたＡＥセンサに光を導くためのＡＥ受光窓４０が備えられている。
【００２１】
本体１２の上面には、正面から見て右側に電源スイッチ２０が、左側（把持部に対応する位置）にレリーズスイッチ２２が各々設けられており、本体１２の正面から見て右側面には、メモリカード（図示省略）を装填可能なスロット２４が設けられている。
【００２２】
なお、詳細は後述するが、レリーズスイッチ２２には、該レリーズスイッチ２２へのタッチ操作を検出する接触センサ８２が設けられており、接触センサ８２の検出出力に基づいて、被写体の撮影を行う撮影モードと、撮影画像を再生表示する再生モードの切り替えがなされるようになっており、接触センサ８２によってタッチ操作、すなわち、指の接触を検出した場合（検出出力がオンの場合）に撮影モードに切り替えられ、指の接触が検出されない場合（検出出力がオフの場合）に再生モードへ移行する。言い換えれば、本発明の実施の形態に係わるデジタルカメラ１０は、デフォルトの状態として、再生モードが起動される。
【００２３】
なお、接触センサ８２は本発明の検出手段に相当し、接触センサ８２としては、光検出、圧力検出、温度検出等の種々の接触センサを用いることが可能である。
【００２４】
また、レリーズスイッチ２２は、半押しと全押しの２位置に操作可能とされており、半押しすることによって、オートフォーカスの焦点が固定（フォーカスロック）され、全押しすることによって、撮影指示を行うようになっている。
【００２５】
また、デジタルカメラ１０の正面から見て右側面には、このデジタルカメラ１０に内蔵に設けられた内蔵メモリやスロット２４に装填されるメモリカードに記録された画像データを外部に送出するためのＵＳＢ（Ｕｎｉｖｅｒｓａｌ　Ｓｅｒｉａｌ　Ｂｕｓ）ケーブルが接続されるＵＳＢ端子４２、及び内蔵メモリやメモリカードに記録された画像データを、携帯電話を使用して外部に送信において、携帯電話との接続時に使用される携帯電話用端子４４が備えられている。
【００２６】
更に、携帯電話用端子４４の下方には、交流電源から電源を得るためのＡＣアダプタを接続するＡＣアダプタ接続口２８が設けられており、交流電源をデジタルカメラ１０に供給可能なように構成されている。
【００２７】
また、図１（Ｂ）に示すように、本体１２の背面には、透過型液晶（半透過型液晶でもよい）からなるカラーディスプレイ２６が設けられており、ディスプレイ２６は、蛍光管やＬＥＤ等によって構成されるバックライトを備えた構成とされている。なお、ディスプレイ２６は光学ファインダ１６の機能も有する。
【００２８】
本体１２の背面には、向かって右側に、選択スイッチ３４、メニュースイッチ３０、実行／画面切換スイッチ３２、及びキャンセルスイッチ３６が設けられている。なお、選択スイッチ３４は、メニュースイッチ３０を押下することによって表示されたメニュー画面等のモード等を選択するためのスイッチであり、その実行は実行／画面切換スイッチ３２で行う。また、キャンセルスイッチ３６は種々のモード等をキャンセルするためのスイッチである。
【００２９】
図２にはデジタルカメラ１０の電気系の構成が示されている。レンズ１４は、詳しくはズームレンズ（焦点距離可変レンズ）からなり、ズーム機構は駆動回路４６によって駆動される。また、オートフォーカス（ＡＦ）機構４７も備え、ＡＦ機構４７も同様に駆動回路４６によって駆動される。なお、ズームレンズに代えて、ＡＦ機構４７のみを備えた焦点距離可変レンズを用いてもよい。
【００３０】
本体１２の内部におけるレンズ１４の焦点位置に相当する位置には、撮影手段としてのエリアＣＣＤセンサ等で構成される撮像素子５０が配置されており、被写体を反射してレンズ１４に入射された光は撮像素子５０の受光面に結像される。撮像素子５０は、受光面上にマトリクス状に配列された多数個の光電変換セルの各々における受光量を表すアナログ信号を画像信号として出力する。撮像素子５０は、駆動回路４６に接続されているタイミング信号発生部によって発生されたタイミング信号に同期したタイミングで駆動されて画像信号を出力する。
【００３１】
レンズ１４と撮像素子５０との間には絞り４８が配置されている。絞りは連続的に変更可能な単一な絞りで構成してもよいし、絞り量が異なる複数の絞りを切り替える構成としてもよい。
【００３２】
タイミング信号発生部５２には、さらにストロボ１８の発光を制御するストロボ制御回路５４も接続されており、ストロボ１８は低照度であることが検出された場合や、ユーザによって発光が指示された場合にタイミング信号発生部５２によって発生されたタイミング信号に同期したタイミングで発光制御される。
【００３３】
撮像素子５０の信号出力端には、サンプリング部５６、Ａ／Ｄ変換器５８、信号処理部６０、メモリ６２、及び圧縮／伸張部６４が順に接続されており、それぞれシステムバス６８に接続され、システムバス６８に接続されたシステム制御部７０によって統括的に制御されるようになっている。
【００３４】
サンプリング部５６では、撮像素子５０から出力された画像信号をタイミング信号発生部５２によって発生されたタイミング信号に同期したタイミングでサンプリングすると共に、増幅してＡ／Ｄ変換器５８へ出力する。サンプリング部５６は、図示しないＣＤＳ（Ｃｏｒｒｅｌａｔｅｄ　Ｄｏｕｂｌｅ　Ｓａｍｐｌｉｎｇ：相関二重サンプリング：以下ＣＤＳという）部を含んで構成されている。ＣＤＳ部は、例えば、ＣＣＤ型の撮像素子を用いて、基本的にその素子により生じる各種のノイズをタイミング信号発生部からのタイミング信号によりクランプするクランプ回路と、タイミング信号によりアナログ電圧信号をホールドするサンプルホールド回路を有する。ＣＤＳ部は、ノイズ成分を除去してアナログの出力信号として画像信号をＡ／Ｄ変換器５８に送る。サンプリング部５６から出力された画像信号は、Ａ／Ｄ変換器５８によってデジタルの画像データに変換されて信号処理部６０へ入力される。信号処理部６０では、入力された画像データに対して色補正・γ補正・Ｙ／Ｃ変換等の各種処理を行う。信号処理部６０から出力された画像データは、ＲＡＭ等で構成されたメモリ６２に一時記録される。そして、レリーズスイッチ２２の操作がなされた場合に、圧縮／伸張部６４で圧縮されてから内蔵メモリ８４又はスロット２４に装填されたメモリカード８０に格納されるようになっている。
【００３５】
また、システムバス６８には、ディスプレイ２６も接続され、撮影によって得られる画像データに基づく画像の表示が可能とされている。
【００３６】
さらに、システムバス６８には、上述のＵＳＢ端子４２、携帯電話用端子４４、音声を録音するためのマイク６６、及びレリーズスイッチ２２や接触センサ８２を含む各種操作スイッチ（メニュースイッチ３０、実行／画面切換スイッチ３２、選択スイッチ３４、キャンセルスイッチ３６等）７４が接続された入出力インターフェース（Ｉ／Ｆ）７６が接続されており、各種操作スイッチ７４の操作に応じた制御がなされるようになっている。
【００３７】
すなわち、レリーズスイッチ２２が操作された等により、内蔵メモリ８４又はスロット２４に装填されたメモリカード８０への画像データの格納が指示された場合、システム制御部７０はメモリ６２に一時記録されている画像データを読み出して圧縮／伸張部６４へ転送する。これにより、画像データは圧縮／伸張部６４で圧縮された後に内蔵メモリ８４又はメモリカード８０に格納される。なお、撮影する際のモードによって画像デーがが圧縮されることなく内蔵メモリ８４又はメモリカード８０に格納される場合もある。
【００３８】
また、内蔵メモリ８４又はスロット２４に装填されたメモリカード８０に格納されている画像データが表す画像の再生（表示）が指示された場合には、内蔵メモリ８４又はスロット２４に装填されたメモリカード８０から画像データが読み出され、読み出された画像データが圧縮／伸張部６４で伸張（解凍）された後、メモリ６２に一時記録される。そして、メモリ６２に一時記録された画像データを用いてディスプレイ２６への画像の表示（再生）が行われる。
【００３９】
ところで、本発明の実施の形態に係わるデジタルカメラ１０は、被写体を撮影する撮影モードと、撮影画像を再生表示する再生モードとの切り替えを、レリーズスイッチ２２に設けられた接触センサ８２の検出出力に基づいて行うようになっている。ここで、撮影モードと再生モードの切り替えについて図３の機能ブロック図を参照して詳細に説明する。
【００４０】
上述のシステム制御部７０には、撮影モードと再生モードの切り替えを行うモード切替部８６、再生モードを制御する再生モード制御部８８、及び撮影モードを制御する撮影モード制御部９０を含んで構成されており、モード切替部８６には、接触センサ８２の検出出力が入力されるようになっている。
【００４１】
すなわち、モード切替部８６は、接触センサ８２の検出出力に基づいて、撮影モードと再生モードが切り替えられる。詳細には、接触センサ８２の検出出力がオンの場合（レリーズスイッチ２２への指の接触が検出された場合）には撮影モードへ移行、すなわち、撮影モード制御部９０によって制御が行われ、接触センサ８２の検出出力がオフの場合（レリーズスイッチ２２への指の接触が検出されない場合）には再生モードへ移行、すなわち、再生モード制御部８８によって制御が行われるようなっている。これによって、撮影モードと再生モードの切り替えを意識せずに行うことができる。
【００４２】
なお、モード切替部８６は本発明の制御手段に相当する。
【００４３】
次に、上述のように構成されたデジタルカメラ１０の作用について、図４〜６のフローチャートを参照して説明する。
【００４４】
図４には、図１に示す電源スイッチ２０をオンした時に起動される、‘電源オン’プログラムを示すフローチャートである。なお、オートフォーカス機能、自動露出機能等については省略して説明する。
【００４５】
はじめに、電源スイッチ２０がオンされると、ステップＳ１０では、システムのリセットが行われる。なお、このとき、レンズ１４を保護するレンズバリアを有する場合には、同時にレンズバリアを開放するようにしてもよい。
【００４６】
ステップＳ１２では、レリーズスイッチ２２に指が接触しているか否か判定される。すなわち、撮影を行うためにレリーズスイッチ２２を操作しようとしているか否かが判定される。該判定は、接触センサ８２の検出出力に基づいて行うことができ、判定が肯定されるとステップＳ１４へ移行して、撮影モードが起動されて、撮影モード制御部９０の制御が開始される。
【００４７】
ここで、撮影モードについて図５のフローチャートを参照して説明する。
【００４８】
ステップＳ２０では、撮影モードが起動されると、撮像素子５０から出力される画像データが表す撮影画像の、カラーディスプレイ２６への表示が行われる。すなわち、スルー画像がカラーディスプレイ２６に表示される。
【００４９】
続いてステップＳ２２では、現在のモードが撮影モードか否か判定される。すなわち、接触センサ８２の検出出力に基づいて判定が行われ、該判定が否定された場合には、このサブルーチンを抜けて‘電源オン’プログラムのステップＳ１２へ戻る。
【００５０】
ステップＳ２２の判定が肯定された場合には、ステップＳ２４へ移行して、図１（Ｂ）に示す実行／画面切換スイッチ３２がオンされているか否か判定される。該判定が肯定された場合には、ステップＳ２６へ移行して、撮像素子５０からの画像表示及び撮影可能枚数などのシステム情報のうち、現在表示されていない方の表示を行う、画像表示の切換が行われ、ステップＳ２８へ移行する。
【００５１】
一方、ステップＳ２４の判定が否定された場合には、そのままステップＳ２８へ移行する。
【００５２】
ステップＳ２８では、レリーズスイッチ２２がオンされたか否か判定される。該判定が否定された場合には、ステップＳ２２へ戻って、上述の処理が繰り返される。
【００５３】
また、ステップＳ２８の判定が肯定された場合には、ステップＳ３０へ移行して、撮影によって得られる画像データが内蔵メモリ８４やメモリカード８０等の記録媒体に記録されて、このサブルーチンを抜ける。すなわち、レリーズスイッチ２２が操作されることにより、内蔵メモリ８４又はスロット２４に装填されたメモリカード８０への画像データの格納が指示された場合、システム制御部７０はメモリ６２に一時記録されている画像データを読み出して圧縮／伸張部６４へ転送する。これにより、画像データは圧縮／伸張部６４で圧縮された後に内蔵メモリ８４又はメモリカード８０に格納される。
【００５４】
ここで、図４に示す‘電源オン’プログラムのステップＳ１２へ戻って説明する。
【００５５】
ステップＳ１２の判定が否定、すなわち、レリーズスイッチ２２に指が接触していないと判定された場合には、ステップＳ１６へ移行して、再生モードが起動されて、再生モード制御部８８の制御が開始される。
【００５６】
次に、再生モードについて図６のフローチャートを参照して説明する。
【００５７】
ステップＳ７０では、現在のモードが再生モードか否か判定される。すなわち、接触センサ８２の検出出力に基づいて判定が行われ、該判定が否定された場合には、‘電源オン’プログラムのステップＳ１２へ戻る。
【００５８】
ステップＳ７０の判定が肯定された場合には、ステップＳ７２へ移行して、既に記録済みの画像データのメモリ６２上のアドレスを表すポインタにより、現在、指定されているアドレスに記録された画像がカラーディスプレイ２６に再生表示され、ステップＳ７４へ移行する。
【００５９】
ステップＳ７４では、選択スイッチ３４による再生画像の選択が行われているか否か判定される。該判定が肯定された場合には、ステップＳ７６へ移行して、他の記録済み画像が再生表示されるようにポインタのインクリメントが行われ、ステップＳ７２へ戻る。
【００６０】
一方、ステップＳ７４の判定が否定された場合には、このサブルーチンを抜けて‘電源オン’プログラムのステップＳ１２へ戻る。
【００６１】
このように、本発明の実施の形態に係わるデジタルカメラ１０は、図７に示すように、接触センサ８２の検出出力のオンオフに応じて、再生モードと撮影モードが切り替えられる。すなわち、撮影モードと再生モードの切り替えを、撮影を指示するレリーズスイッチ２２に設けた接触センサ８２の検出出力に基づいて行うことによって、意図的に切替スイッチ等の操作することなく、無意識に撮影モードと再生モードの切り替えを行うことができる。
【００６２】
なお、上記の実施の形態では、接触センサ８２の検出出力がオンとなったら再生モードから撮影モードへ移行するようにしたが、このとき、所定時間継続して接触センサ８２の検出出力がオンである場合に撮影モードへ移行するようにしてもよいし、逆に所定時間継続して接触センサ８２の検出出力がオフである場合に撮影モードから再生モードへ移行するようにしてもよい。これによって、再生モードと撮影モードの遷移におけるチャタリングを防止することができる。すなわち、接触センサ８２の検出出力が、所定時間以上オン状態となったときに、図４のステップＳ１２が肯定されて、再生モードから撮影モードへ移行するようにしてもよい。また、図５のステップＳ２２についても同様に、接触センサ８２の検出出力が、所定時間以上オン状態が継続したときに、判定が肯定されるようにしてもよい。さらに、図６のステップＳ７０についても、同様に、接触センサ２２の検出出力が、所定時間以上オフ状態が継続したときに、判定が肯定されるようにしてもよい。
【００６３】
また、上記の実施の形態では、再生モードを長時間使用する場合には、誤操作でレリーズスイッチ２２を操作しないようにするために、レリーズスイッチ２２をロックする機構をさらにもうけるようにしてもよい。これによって、再生モードを継続させようとして、レリーズスイッチ２２に接触しているときに、誤操作でレリーズスイッチ２２が操作されてしまうのを防止することが可能となる。
【００６４】
【発明の効果】
以上説明したように本発明によれば、撮影の指示を行う指示手段への接触を検出して、接触状態を検出したときに、撮影モードへ移行するように制御し、非接触状態を検出したときに、再生モードへ移行するように制御することによって、専用のモード切替スイッチを廃止することができ、モードの切り替えを意識すること行うことができる、という効果がある。
【図面の簡単な説明】
【図１】本発明の実施の形態に係わるデジタルカメラの外観を示す斜視図である。
【図２】本発明の実施の形態に係わるデジタルカメラの電気系の構成を示すブロック図である。
【図３】システム制御部におけるモード切換を示す機能ブロック図である。
【図４】本発明の実施の形態に係わるデジタルカメラの動作の流れを示すフローチャートである。
【図５】撮影モードのサブルーチンを示すフローチャートである。
【図６】再生モードのサブルーチンを示すフローチャートである。
【図７】再生モードと撮影モードの状態遷移を表す概念図である。
【図８】従来のデジタルカメラにおけるモード切替スイッチの例を示す図である。
【符号の説明】
１０　　デジタルカメラ
２２　　レリーズスイッチ
８２　　接触センサ
８６　　モード切替部
８８　　再生モード制御部
９０　　撮影モード制御部
【図１】
2004040602.tif 000003
【図２】
2004040602.tif 000004
【図３】
2004040602.tif 000005
【図４】
2004040602.tif 000006
【図５】
2004040602.tif 000007
【図６】
2004040602.tif 000008
【図７】
2004040602.tif 000009
【図８】
2004040602.tif 000010